(57)【特許請求の範囲】
【請求項１】
便器外郭と、この便器外郭上に配置された便座を覆う便蓋と、前記便器外郭の後端部に立設される背もたれを備え、前記背もたれに前後に貫通する背もたれ開口が形成され、前記便蓋が便器外郭の後端部に左右軸回りに回動自在に連結されて、前記便座を覆う閉じ位置から起立位置を経て後方に倒れた退避位置まで回動する際に前記背もたれ開口を通過するものであり、前記便蓋に被掛止部が形成されると共に前記背もたれに前記起立位置の便蓋の被掛止部が掛止される掛止部が形成され、この掛止部又は前記被掛止部が、前記被掛止部が前記掛止部を通過できる形状に弾性変形可能にされ、前記便座及び前記便蓋が回動自在に取り付けられ、前記便座及び前記便蓋を取り付けた状態で前記便器外郭から取り外せるように、前記便器外郭に着脱自在に取り付けられる連結体を有することを特徴とする可搬便器。
【請求項２】
前記便蓋が、便器外郭の後端部に左右軸回りに回動自在に連結される後蓋と、この後蓋の前端部に左右軸回りに回動自在に連結される前蓋とを有して、前記前蓋及び後蓋の夫々の下面が略同一方向を向く展開状態と、前記前蓋及び後蓋の下面同士が対向する折り畳み状態とに変形可能とされ、前記前蓋の上面に下方に凹んだ手入用凹陥部が形成されると共に、前記後蓋の前端部に前方に突出して前記展開状態において前記手入用凹陥部の上方に配置される手掛部が形成され、この手掛部により前記被掛止部が構成されたことを特徴とする請求項１に記載の可搬便器。
【発明の詳細な説明】
【技術分野】
【０００１】
本発明は折り畳み可能な便蓋を有する可搬便器に関する。
【背景技術】
【０００２】
従来から、老人、身体障害者、病人等が利用する介護用の便器として、設置位置を容易に変更できる可搬便器が利用されている。
【０００３】
特許文献１に示される便器は、便座を覆う便蓋が、便器外郭の後端部に左右軸回りに回動自在に連結される後蓋と、この後蓋の前端部に左右軸回りに回動自在に連結される前蓋とを有している。この便蓋は、前蓋及び後蓋を略平行にした展開状態と、前記前蓋及び後蓋の下面同士を対向させた折り畳み状態とに変形できるようになっている。
【０００４】
ところで、特許文献１の便器外郭の後端部には背もたれが立設されている。この背もたれは、便器外郭の後端部両側に立設された背もたれ枠と、両背もたれ枠の上部間に架け渡される背当てで構成され、背当ての下方には背もたれ開口が形成されている。ここで、前記便蓋は、特許文献１の第１図に図示された後蓋の大きさから、折り畳み状態で起立させた際に前記背もたれ開口を塞ぐように配置されると考えられる。しかし、このように背もたれ開口が便蓋によって塞がれると、便座に着座した利用者を後方から介護等するにあたって便蓋が邪魔になる可能性がある。
【先行技術文献】
【特許文献】
【０００５】
【特許文献１】特開２００４−３２９３５８号公報
【発明の概要】
【発明が解決しようとする課題】
【０００６】
本発明は前記事情に鑑みてなされたものであって、背もたれ開口を介して、便座に着座した利用者を後方から介護等することができる可搬便器を提供することを課題とする。
【課題を解決するための手段】
【０００７】
前記課題を解決するために本発明の可搬便器は、便器外郭と、この便器外郭上に配置された便座を覆う便蓋と、前記便器外郭の後端部に立設される背もたれを備え、前記背もたれに前後に貫通する背もたれ開口が形成され、前記便蓋が便器外郭の後端部に左右軸回りに回動自在に連結されて、前記便座を覆う閉じ位置から起立位置を経て後方に倒れた退避位置まで回動する際に前記背もたれ開口を通過するものであり、前記便蓋に被掛止部が形成されると共に前記背もたれに前記起立位置の便蓋の被掛止部が掛止される掛止部が形成され、この掛止部又は前記被掛止部が、前記被掛止部が前記掛止部を通過できる形状に弾性変形可能にされ、前記便座及び前記便蓋が回動自在に取り付けられ、前記便座及び前記便蓋を取り付けた状態で前記便器外郭から取り外せるように、前記便器外郭に着脱自在に取り付けられる連結体を有することを特徴とする。
【０００８】
また、前記便蓋が、便器外郭の後端部に左右軸回りに回動自在に連結される後蓋と、この後蓋の前端部に左右軸回りに回動自在に連結される前蓋とを有して、前記前蓋及び後蓋の夫々の下面が略同一方向を向く展開状態と、前記前蓋及び後蓋の下面同士が対向する折り畳み状態とに変形可能とされ、前記前蓋の上面に下方に凹んだ手入用凹陥部が形成されると共に、前記後蓋の前端部に前方に突出して前記展開状態において前記手入用凹陥部の上方に配置される手掛部が形成され、この手掛部により前記被掛止部が構成されることが好ましい。
【発明の効果】
【０００９】
本発明にあっては、背もたれ開口を介して、便座に着座した利用者を後方から介護等することができる。
【図面の簡単な説明】
【００１０】
【図１】本実施形態の便蓋を起立位置に配置した可搬便器の拡大斜視図である。
【図２】便蓋を起立位置に配置した際の可搬便器の斜視図である。
【図３】便器外郭の斜視図である。
【図４】可搬便器の側面断面図である。
【図５】図２において便座の図示を省略した斜視図である。
【図６】台座の斜視図である。
【図７】可搬便器の一部破断した斜視図である。
【図８】便蓋を閉じ位置に配置した可搬便器の斜視図である。
【図９】便蓋を起立位置に配置した可搬便器の側面図である。
【図１０】便蓋を退避位置に配置した可搬便器の側面図である。
【発明を実施するための形態】
【００１１】
以下、本発明を添付図面に基づいて説明する。図２に示されるように、本実施形態の可搬便器１は、床上に配置される台座２と、台座２単独で支持される便器外郭３と、便器外郭３の後端部に左右軸回りに回動自在に連結される、便座４及び便蓋５と、便器外郭３の内側に設けられる汚物受け６を備えている。なお、前記「左右軸回り」とは、回転軸方向が左右方向と平行であることを意味する。
【００１２】
可搬便器１は、便器外郭３の後端部上に立設される背もたれ７と、便器外郭３の左右両側端部に立設される高さ調節可能な肘掛け８を備えた、椅子型の便器となっている。また、可搬便器１は、トイレットロール９を支持するためのペーパーホルダー１０もしくはペーパーハンガー１１を備えており、これらペーパーホルダー１０もしくはペーパーハンガー１１は便器外郭３に着脱自在に取り付けられている。また、可搬便器１は、各構成部品をポリプロピレン等の合成樹脂を用いて形成することで軽量化を図っており、容易に移動できるようになっている。
【００１３】
図３に示されるように、便器外郭３の上面の左右方向中央部には下方に凹没した凹没部１６が形成されている。また、便器外郭３の上面部中央には凹没部１６の底部中央を上下に貫通する上開口１７が形成されている。
【００１４】
汚物受け６は、上開口１７を介して、図４に示されるように便器外郭３内に収納されている。汚物受け６は、屎尿を受ける便容器１９と、便容器１９が収納される防汚容器２０とで構成された二重容器からなる。図４中２１は用便後における便容器１９の上開口を閉塞する容器蓋であり、容器蓋２１は用便時に便容器１９から取り外される。なお、取り外した容器蓋２１は、図４に二点鎖線で示すように台座２上に起立させることができる。
【００１５】
図５に示されるように防汚容器２０の上縁部には外方に突出した防汚容器被載置部２２が周方向の全長に亘って形成されている。防汚容器２０は上開口１７を介して便器外郭３内に出し入れ可能に挿入されている。
【００１６】
防汚容器２０は、防汚容器被載置部２２を便器外郭３の上開口１７の周縁部を含む凹没部１６の底部上に載置することで懸架されている。
【００１７】
便容器１９の上縁部には、外方に突出した便容器被載置部２４が周方向の全長に亘って形成されている。便容器１９は防汚容器２０内に上方から出し入れ可能に挿入され、便容器被載置部２４を防汚容器２０の便容器載置部２３の内周部上に載置することで、防汚容器２０に懸架されている。
【００１８】
便器外郭３は台座２によって高さ調節自在に支持されている。図６に示されるように、台座２の後端部には複数のキャスター３０が設けられ、このキャスター３０を利用して可搬便器１を床上で走行することができる。
【００１９】
図７に示されるように、便器外郭３は、凹没部１６の底面部の後端部上に設けられた連結体４４を有している。連結体４４には便座４及び便蓋５が回動自在に取り付けられている。連結体４４は便器外郭３に着脱自在に取り付けられ、便座４及び便蓋５を取り付けた状態で便器外郭３から取り外せるようになっている。
【００２０】
次に便座４について説明する。なお、以下の便座４の説明では、特に記載する場合を除き、図２のように便座４を便器外郭３上の使用位置に配置した際における方向を基準にして説明する。
【００２１】
便座４は、平面視環状で中央に便座開口４５が形成された座部４８と、座部４８から後方に突出した便座被連結部４６を有している。便座被連結部４６は、連結体４４の前部に形成された便座連結部４７（図７参照）に左右軸回りに回動自在に連結されている。便座４は、図２のように前方に倒して防汚容器２０の防汚容器被載置部２２（図５参照）に載置した使用位置から、便器外郭３の後端部上に起立させた非使用位置までの範囲で回動できるようになっている。前記使用位置に配置された便座４は、前記防汚容器２０の防汚容器被載置部２２の外周部上に載置され、便容器１９の便容器被載置部２４上に配置される。なお、使用位置の便座４は便器外郭３に載置されるものであってもい。また、非使用位置における便座４は、背もたれ７又は便器外郭３のいずれかで支持される。
【００２２】
次に前記使用位置に配置された便座４を上側から覆う便蓋５について説明する。なお、以下の便蓋５の説明では、特に記載する場合を除き、図８のように便蓋５を便器外郭３上の閉じ位置に配置した際における方向を基準にして説明する。
【００２３】
便蓋５は、便器外郭３の後端部に左右軸回りに回動自在に連結される後蓋３６と、後蓋３６の前端部に左右軸回りに回動自在に連結される前蓋３７とで構成されている。便蓋５は、前蓋３７を後蓋３６に対して回動することで、図４に示されるように前蓋３７及び後蓋３６の夫々の下面が略同一方向を向く展開状態と、図９及び図１０に示されるように前蓋３７及び後蓋３６の下面同士が対向する折り畳み状態とに変形可能となっている。前記便蓋５の展開状態では前蓋３７の上面と後蓋３６の上面とが略面一となる。
【００２４】
図１に示されるように後蓋３６には後方に突出する便蓋被連結部３８が形成されている。便蓋被連結部３８は、連結体４４の後部に形成された便蓋連結部３９に左右軸回りに回動自在に連結されている。これにより便蓋５は、図４に示すように便器外郭３上に横に倒して配置された閉じ位置から、図９に示す起立位置を経てさらに後方に倒した図１０に示す退避位置までの範囲で回動できるようになっている。なお、退避位置に配置されて横向きになった便蓋５は、図７に示されるように連結体４４によって後蓋３６の後端部が支持され、これ以上下方に回動しないよう支持される。
【００２５】
図８に示されるように、前蓋３７の上面の後部中央には下方に凹んだ手入用凹陥部４０が形成されている。手入用凹陥部４０は、平面視で左右に長い長方形状の凹部からなる手差部４１と、手差部４１の左右方向の中央部から後方に延びる手掛部用凹部４２とで構成され、手掛部用凹部４２は後方に開口している。
【００２６】
一方、後蓋３６の前端部の中央には、前方に突出した手掛部４３が形成されている。手掛部４３の上面は後蓋３６の上面と面一になっている。手掛部４３は、図８に示されるように便蓋５の展開状態において手掛部用凹部４２に嵌まり込み、上面が前蓋３７の上面と略面一となる。また、この展開状態では、手掛部４３の下面と手掛部用凹部４２の底面との間に前方の手差部４１側に開口する手入用凹所５３が形成される。また、便蓋５の折り畳み状態では、図９に示されるように手掛部４３が便蓋５の折曲側端部に位置して、便蓋５の枢支部分となる連結体４４と反対側に向けて突出する。
【００２７】
前蓋３７に形成した手差部４１の前面には前方に凹んだ前側手入用凹所５４が形成され、前蓋３７における前側手入用凹所５４の上方部は前側手掛部５５となっている。なお、以下では、前記手入用凹所５３を前側手入用凹所５４と区別するため後側手入用凹所５３と記載し、手掛部４３を前側手掛部５５と区別するため後側手掛部４３と記載する。
【００２８】
便蓋５の回動作業は前側手掛部５５や後側手掛部４３を利用して容易に行えるようになっている。例えば、図８に示されるように展開状態で閉じ位置に配置された便蓋５を図１、２等に示される起立位置に配置するには、まず、甲を前蓋３７側に向けた手の指を手差部４１を介して後側手入用凹所５３に挿入する。続いて、後側手入用凹所５３上方の前側手掛部５５の下面に前記指を掛けて前側手掛部５５を持ち上げる。これにより、便蓋５は、後蓋３６が便蓋連結部３９を中心にして上方に回動しつつ、前蓋３７が自重により後蓋３６の前端部を中心にして下面が後蓋３６の下面に近づく方向に回動する。このようにして便蓋５は図９に示されるように折り畳み状態で起立位置に配置される。この場合、甲を前蓋３７側に向けた手の指を用いて便蓋５を支持するので、手首を返すことなく便蓋５を回動でき、手の不自由な人にも容易に便蓋５を起立させることができる。なお、前記閉じ位置に配置された便蓋５を起立させる作業は、例えば甲を前蓋３７と反対側に向けた手の指を前側手掛部５５の下面に掛けて持ち上げることで行うこともできる。
【００２９】
図９に示されるように起立位置に折り畳み状態で配置された便蓋５を図４に示される閉じ位置に配置するには、まず手の甲を前蓋３７と反対側に向けた手の指を手差部４１を介して前側手入用凹所５４に挿入する。続いて前側手掛部５５の下面に手指を掛けて前側手掛部５５を手前に引く。これにより、便蓋５は、前蓋３７が後蓋３６の前端部を中心にして下面が後蓋３６の下面から離れる方向に回動しつつ、後蓋３６が前蓋３７により前方に引かれて便蓋連結部３９を中心に前方に回動する。このようにして便蓋５は展開状態で閉じ位置に配置される。
【００３０】
図８に示されるように、背もたれ７は、上外郭体１２の後端部の両側端部から夫々立設された背もたれ枠５６と、両背もたれ枠５６の上端部間に架け渡された背当て５７で構成されている。背もたれ７の下部には、背当て５７と両背もたれ枠５６と、便器外郭３とで囲まれた前後に貫通する背もたれ開口５８が形成されている。背もたれ開口５８は、折り畳み状態の便蓋５よりもやや大きく形成され、折り畳み状態とした便蓋５が背もたれ開口５８を介して背もたれ７を通過できるようになっている。
【００３１】
図１に示されるように、背もたれ開口５８の上縁部を構成する背当て５７の下端部には、下方に向けて突出した掛止部５９が形成されている。掛止部５９は、背当て５７の左右方向の中央部に位置し、その下部は折り畳み状態とした便蓋５が背もたれ開口５８を通る際において後側手掛部４３が通過する位置に配されている。掛止部５９の下部には、図９に示されるように、前記折り畳み状態で起立位置にある便蓋５から突出した後側手掛部４３を前側から掛止することができ、これにより便蓋５を閉じ位置から略９０度回動させた起立位置に保持することができる。つまり、本実施形態では、後側手掛部４３が掛止部５９に掛止される被掛止部を構成している。
【００３２】
掛止部５９は薄板状に形成され、その下部を前後方向に撓ませて通過許容形状に弾性変形できるようになっている。すなわち、前記折り畳み状態で起立位置にある便蓋５の後側手掛部４３を掛止部５９に掛止した状態で、便蓋５を便蓋連結部３９を中心に後方に回動させれば、掛止部５９は下部が後側手掛部４３により押圧されて後方に撓む。これにより、後側手掛部４３を掛止部５９後方に通過させることができ、便蓋５を前記起立位置から更に略９０度後方に倒した退避位置に移動できるようになっている。
【００３３】
また、退避位置にある便蓋５を起立位置や閉じ位置に移動する際等にも、前記掛止部５９を後側手掛部４３により弾性変形させることで、便蓋５を背もたれ開口５８を介して背もたれ７を通過させることができる。便蓋５を背もたれ７の後方から前方に通過させる際には、便蓋５を折り畳み状態としてやや強い力で前方に回動させる。これにより掛止部５９は下部が後側手掛部４３に押圧されて前方に撓み、後側手掛部４３が掛止部５９前方に通過し、便蓋５が背もたれ７の後方から前方に通過する。
【００３４】
以上説明した本実施形態の可搬便器１は、便蓋５が便座４を覆う閉じ位置から起立位置を経た後、さらに後方に倒れた退避位置まで回動可能とされる。このため、便蓋５を退避位置にまで回動することで、開放した背もたれ開口５８を介して、便座４に着座した利用者を後方から介護等することができる。また、便蓋５に被掛止部（後側手掛部４３）が形成され、背もたれ７に起立位置の便蓋５の被掛止部が掛止される掛止部５９が形成され、掛止部５９が被掛止部を通過できる形状に弾性変形可能になっている。この構成により、起立位置に配置した便蓋５を退避位置に位置させる場合や、退避位置に配置した便蓋５を起立位置や使用位置に位置させる場合には、便蓋５にやや強い力を加えて、便蓋５の被掛止部により掛止部５９を押圧すれば、便蓋５の被掛止部が掛止部５９を通過可能となる。従って、便蓋５の位置を容易に変更でき、また、便蓋５を起立位置で保持する機構が簡易なものになる。なお、本実施形態では、掛止部５９が被掛止部を通過できる形状に弾性変形するようにしたが、被掛止部が掛止部５９を通過できる形状に弾性変形するものとしてもよい。
【００３５】
また、本実施形態では、便蓋５が、便器外郭３の後端部に左右軸回りに回動自在に連結される後蓋３６と、後蓋３６の前端部に左右軸回りに回動自在に連結される前蓋３７とを有している。そして、この便蓋５は、前蓋３７及び後蓋３６の夫々の下面が略同一方向を向く展開状態と、前蓋３７及び後蓋３６の下面同士が対向する折り畳み状態とに変形可能とされている。このため、便蓋５を起立位置や退避位置で折り畳み状態にして利用者等の邪魔にならないようコンパクトに仕舞うことができる。また、前蓋３７の上面に下方に凹んだ手入用凹陥部４０が形成されると共に、後蓋３６の前端部に前方に突出して展開状態において手入用凹陥部４０の上方に配置される手掛部４３が形成され、手掛部４３により被掛止部が構成されている。つまり、手掛部４３を被掛止部として兼用することができ、別途被掛止部を設ける必要がない。なお、本実施形態の便蓋５は、後蓋３６に対して前蓋３６が回動する折り畳み可能なものであるが、折り畳みできないものであっても構わない。
【符号の説明】
【００３６】
１  可搬便器
３  便器外郭
４  便座
５  便蓋
７  背もたれ
３６  後蓋
３７  前蓋
４０  手入用凹陥部
４３  後側手掛部（被掛止部）
５８  背もたれ開口
５９  掛止部
【図１】
0005537451.tif 000002
【図２】
0005537451.tif 000003
【図３】
0005537451.tif 000004
【図４】
0005537451.tif 000005
【図５】
0005537451.tif 000006
【図６】
0005537451.tif 000007
【図７】
0005537451.tif 000008
【図８】
0005537451.tif 000009
【図９】
0005537451.tif 000010
【図１０】
0005537451.tif 000011